(57)【要約】【課題】  本考案は、使用中、適度の反発的感触と当接する身体部位を柔らかく包み込む感触とを兼備した使い心地が良好でかつ、使用後においては、素早い復元力を有した商品価値の高いウレタンクッション材を安価に提供することにある。【解決手段】  上記の課題を解決するため、本考案に基づくウレタンクッション材は、厚手の高伸縮性ウレタンフォーム・シートから成り、内部は布帛等の柔軟な仕切幕１１により仕切られて少なくとも２つの区分スペース１２が形成されている弾性クッションサック１と；このサック１の各々の区分スペース12の中に充満状態に封入された多数の低反発ウレタンフォームチップ２とを含む構成とする。【選択図】  図１
0003108336.tif 000002
【実用新案登録請求の範囲】
【請求項１】
厚手の高伸縮性ウレタンフォーム・シートから成り、内部は布帛等の柔軟な仕切幕１１により仕切られて少なくとも２つの区分スペース１２が形成されている弾性クッションサック１と；このサック１の各々の区分スペース１２の中に充満状態に封入された多数の低反発ウレタンフォームチップ２とを含んで構成されており、前記チップ２の遅延的な低反発性を補完する前記弾性クッションサック１の高伸縮性により、前記クッションサック１の高伸縮性と前記チップ２の遅延的な低反発性との巧みな組合せにより快適な緩衝性能を発揮することを特徴とする快適クッション材。
【請求項２】
低反発ウレタンフォームチップ２が、ウレタンフォームの成形体を平均粒径１ｃｍ程に粉砕して得られた粉砕チップであることを特徴とする請求項１記載の快適クッション材。
【請求項３】
低反発ウレタンフォームチップ２の比重が、６〜８Ｋｇ／立方メートルであることを特徴とする請求項１又は２記載の快適クッション材。
【請求項４】
弾性クッションサック１の仕切幕１１が当該サックの中間領域にのみ形成され、当該サックの側辺部分には区分スペースがなく連続していることを特徴とする請求項１〜３の何れか一つに記載の、快適クッション材。
【請求項５】
弾性クッションサック１の外側をカバー袋３により被包されていることを特徴とする請求項１から４の何れか一つに記載の、快適クッション材。
【考案の詳細な説明】
【技術分野】
【０００１】
本考案は、ソファ・長椅子等の背当て、座布団あるいは枕として使用されるクッション材に関し、更に詳しくは、ウレタンフォームの特性を最大限活かした頗る使い心地の良いウレタンクッション材に関するものである。
【背景技術】
【０００２】
従来、ウレタンフォームを利用したクッション材としては、クッションマット体の上下面を低反発ウレタンフォームのシートで裏打ちした伸縮性の外装生地にて被覆したマットレス（特許文献１）や、あるいはエアバックの上下部を低反発ウレタンフォームにより囲んで成る枕（特許文献２）は既に提案されている。
【特許文献１】特開２００３−２３０４６２号公報（要約欄、図１）
【特許文献２】特開平１−５６５５９号公報（要約欄、図３）
【０００３】
しかしながら、上記の従来の提案は何れも、低反発ウレタンフォームを使用しているものの、基本的にはシート状又は板状に成形した低反発ウレタンフォーム成形体の反発機能を面厚方向に単純に利用しているに過ぎないため、腰が弱くて支持力が不足して心地の良い接圧感を得ることができなかった。
【考案の開示】
【考案が解決しようとする課題】
【０００４】
本考案は、上述した従来技術の不都合な点に鑑みて成されたものであって、就寝に際して、適度の反発的感触と当接する身体部位を柔らかく包み込む様な感触とを発揮することができる使い心地の良いウレタンクッション材を提供することを目的とする。
【０００５】
また、本考案は、負荷を解除したときには、良好な復元力を有して、見苦しい寝痕を残すことのないウレタンクッション材を提供することを目的とする。
【課題を解決するための手段】
【０００６】
本考案は、上記の課題を解決するための手段として、厚手の高伸縮性ウレタンフォーム・シートから成り、内部は布帛等の柔軟な仕切幕１１により仕切られて少なくとも２つの区分スペース１２が形成されている弾性クッションサック１と；このサック１の各々の区分スペース１２の中に充満状態に封入された多数の低反発ウレタンフォームチップ２とを採用することにより、当該弾性クッションサック１の高伸縮性と当該チップ２の遅延的な低反発性との巧みな組合せにより快適な緩衝性能を発揮できる快適クッション材を完成した点に特徴がある。
【０００７】
上記において、低反発ウレタンフォームチップ２としては、ウレタンフォームの成形体を平均粒径１ｃｍ程に粉砕して得られた粉砕チップであって、当該チップの比重を６〜８ｋｇ／立方メートルのものを採用することによって、低反発ウレタンフォーム特有の包み込む様な感触を最適化することができる。
【０００８】
また、本考案においては、弾性クッションサック１の内部に仕切幕１１による区分スペース１２を形成したことによって、ウレタンフォームチップを一部に偏在させることなく全体に均一に分布させ、クッション材の形態を安定化させることができる。
【考案の効果】
【０００９】
上述の如く、本考案は、低反発ウレタンフォームの反発性能を単純に利用して成る上記の如き従来技術とは異なり、弾性クッションサック１の高伸縮性とウレタンフォームチップ２の遅延的な低反発性との巧みな組合せにより快適な緩衝性能を発揮して、使用中、適度の反発的感触と当接する身体部位を柔らかく包み込む様な感触とを兼備した使い心地が良好で、かつ、使用後においては、素早い復元力を有したクッション材を安価に提供することができる。
【考案を実施するための最良の形態】
【００１０】
以下、添付の図面に基づき、本考案を更に詳細に説明する。図１は、本考案に基づく実施例１の背当てクッションＣを示す一部分解斜視図であり、図２は、本考案に基づく実施例２のクッション枕Ｐを示す一部分解斜視図である。
【実施例１】
【００１１】
図１において、符号１にて指示するものは、本実施例に基づく背当てクッションＣの内部を構成する柔軟性と耐久性に富んだ厚手の高伸縮性ウレタンフォーム・シートから成る弾性クッションサックであって、方形状の封体として形成されている。尚、当該サックの封着部分（図中、符号Ａにて表示）は、ウレタン系接着剤にて張り合わせてあり、布製サックに必要な縫合作業に比べ、加工作業が軽減される。次に、図中、符号１１にて指示するものは、ナイロン等伸縮性生地より成る仕切幕であって、その両端は点線部にて図示の如く、当該サック外面に貼着された当布１１ａを介して前記サックの外面に縫合係止されている。この中仕切構造により、以下に述べるウレタンフォームチップ２の下方向への移動を抑止し、当接する身体各部位に対し適度な弾性反発力を付与している。尚、当該サックは上記の如く、高伸縮性ウレタンフォームより構成されており、使用中、縫い目から裂けたりあるいは破れたりすることはない。
【００１２】
次に、符号２にて指示するものは、低反発ウレタンフォームの成形体を平均粒径１ｃｍ程に粉砕して得られたウレタンフォームチップであって、図示の如く、前記サック内に充満状態（充填密度：６〜８ｋｇ／立方メートル）に封入されている。このように、低反発ウレタンをチップ状にして利用することにより、クッション形状選択の自由度を高めることができるばかりでなく、従来の如き面ではなく点圧による反発力によって、通気性の良い快適なクッション性能を付与することができる。尚、図中、符号１２にて指示するものは前記サック１の内側スペースを前記仕切幕により３つに区分して構成される区分スペースであって、この各区分スペースの中に、前記チップ２を充填することにより、当接する身体各部に低反発ウレタンフォーム特有の包み込む様な感触を付与することができる。続いて、図中、符号３にて指示されるものは、ナイロン等の伸縮性生地から構成され、前記弾性クッションサックを被覆するためのカバー袋である。このカバー袋の装着により、ウレタンフォーム特有のべたつき感を取り除くことができると共に、背当てクッションに所望の色・柄を付加することができる。
【実施例２】
【００１３】
図２において、本実施例に基づくクッション枕Ｐの特徴は、前述した実施例１に基づく背当てクッションＣの３つから成る区分スペースに代えて、当該サック内側の略中程に設けられた１枚の仕切幕１１により２つの区分スペースとした点と、前記クッションサックの内側にて、前記仕切幕１１を縫合係止した点にある。その他の構成要素及び作用については、上記の実施例１と同じである。
【００１４】
即ち、当該サックの略中間領域に仕切幕をおいて２区分としたことで、クッション形状選択の上での自由度を更に高めることができ、所定幅の仕切幕を使用することによって、充填したチップが偏在して低密度部分を作ることのない、厚み方向に所要の膨らみとこれに応じた反発弾性力とを有した図示の如き丸クッション枕を形成することができる。
【００１５】
これに加えて、前記仕切幕を当該サック内側にて縫合係止したことにより、当布がクッションサック外面と外装生地との間に介在しなくなり、使用に際して、頗る寝心地の良いクッション枕を提供することができる。
【００１６】
本実施例においては、首部分の当接する区分スペースにウレタンフォームチップを大目に充填して、これに対し、頭部に接する区分スペースに少なめのチップを充填することにより、頸椎に負担のかからない健康枕を提供することもできる。
【００１７】
ここで、本考案においては、上述した何れの実施例においても、前記クッションサック１を高伸縮性を有するウレタンフォームにて構成したことによって、クッション材として使用される低反発ウレタンフォームチップの遅延性をスムーズに補うことができ、使用後において、所謂、へたりや亀裂が生じることはない。これにより使用後の外観上の見苦しさを解消することができる。
【産業上の利用可能性】
【００１８】
上述した通り、本考案に基づくウレタンクッション材は、従来の類似品に比べ、構造簡素である上に、使用においては、低反発ウレタンフォームの特性を最大限活かすことができると共に、使用後においては、素早い復元力を有し、弾性クッションサックの高伸縮性とウレタンフォームチップの遅延的な低反発性との巧みな組合せにより快適な緩衝性能を発揮するクッション材を安価に提供でき、産業上の利用可能性は高いと言える。
【図面の簡単な説明】
【００１９】
【図１】図１は、本考案に基づく実施例１の背当てクッションＣを示す一部分解斜視図である。
【図２】図２は、本考案に基づく実施例２のクッション枕Ｐを示す一部分解斜視図である。
【符号の説明】
【００２０】
１  弾性クッションサック
11  仕切幕
11a 当布
12  区分スペース
２  ウレタンフォームチップ
３  カバー袋
Ａ  封着部分
Ｃ  背当てクッション
Ｐ  クッション枕
【図１】
0003108336.tif 000003
【図２】
0003108336.tif 000004